(57)【要約】  【課題】  従来技術の欠点を排除したＬＥＤ光源を提供することであり、ＬＥＤ光源の価値及び魅力を高めることである。  【解決手段】  反射体の、実質的にそのベース部に孔１４が形成され、この孔１４に伝熱性の支柱１６が嵌着される。支柱１６は反射体内部において第１表面１８を有し、反射体の外側において第２表面２０を有する。単一のサイドエミットＬＥＤ光源２２が、好ましくは電気絶縁用のしかし伝熱性の部材２３を介して第１表面１８に固定される。第２表面２０には放熱体２４が固定される。印刷回路基板上に実装し得る回路２６が、ＬＥＤ光源に電力を供給するべくＬＥＤ光源と関連付けられる。支柱１６の側部を通した、あるいは支柱１６に形成した長手方向孔を貫かせた絶縁ワイヤを介し、ＬＥＤ光源２２への図示しない好適な電気的連結部が設けられる。【選択図】  図１
2006032347.tif 000002
【特許請求の範囲】
【請求項１】
ランプアセンブリであって、
所定方向に光を配向するための反射体と、
該反射体における孔と、
該孔に嵌着した伝熱性の支柱にして、反射体内において第１表面を有し、反射体の外側において第２表面を有する支柱と、
前記第１表面に固定した単一のサイドエミットＬＥＤ光源と、
前記第２表面に固定した放熱体と、
サイドエミットＬＥＤ光源に電力を供給するべく該サイドエミットＬＥＤ光源に関連付けされた回路と、
を含むランプアセンブリ。
【請求項２】
サイドエミットＬＥＤ光源が、第２反射体を有するキャップを含む請求項１のランプアセンブリ。
【請求項３】
サイドエミットＬＥＤ光源が、側壁と、少なくとも１つの金属表面を有する閉鎖上部とを有するドーム形状の透明要素によって覆われる請求項１のランプアセンブリ。
【請求項４】
側壁が少なくとも１つのレンズを含んでいる請求項３のランプアセンブリ。
【請求項５】
支柱が長手方向軸線に沿って測定した場合に所定の長さを有している請求項１のランプアセンブリ。
【請求項６】
支柱の前記所定の長さが、サイドエミットＬＥＤ光源を反射体の焦点位置に位置決めする請求項５のランプアセンブリ。
【請求項７】
反射体が凹形である請求項６のランプアセンブリ。
【発明の詳細な説明】
【技術分野】
【０００１】
本件出願は２００４年７月１６日付で提出した米国仮出願特許番号第６０／５８８，４７０号の優先権を主張するものである。
本発明は光源に関し、詳しくは、発光ダイオード（以下、ＬＥＤ光源とも称する）を使用する光源、更に詳しくは、自動車分野で使用する、ヘッドライト、テールライト、ストップライト、フォグライト、方向指示灯のような光源に関する。更に詳しくは、本発明は工業的にパッケージされる如き光源に関する。
【背景技術】
【０００２】
従来、大抵の自動車用光源には白熱灯の使用が関与されている。白熱灯は良好に作用し安価でもあるが、寿命が比較的短く、また、言うまでもなく、使用するフィラメントが細いので振動を受けると破損する。
最近、特にストップライトにおいてＬＥＤ光源によって代替使用されている。これらのソリッドステート型の光源の寿命は１００，０００時間範囲にも及ぶ驚くべき長さであり、振動を受けても損傷しない。然し乍ら、これらのＬＥＤ光源は適宜の位置にハードワイヤード処理され、それが組み込みコストを増大させている。従って、白熱灯の組み込み容易性を持ったＬＥＤ光源は有益であり得る。
十分な照明と、良好な除熱及び使用の容易性とを提供する単一のＬＥＤ光源を用いるＬＥＤ光源は更に尚、有益であり得る。
【発明の開示】
【発明が解決しようとする課題】
【０００３】
従って、解決しようとする課題は、従来技術の上述したような欠点を排除したＬＥＤ光源を提供することである。解決しようとする他の課題は、ＬＥＤ光源の価値及び魅力を高めることである。
【課題を解決するための手段】
【０００４】
本発明によれば、光を所定方向に差し向けるための反射体を有するランプアセンブリが提供される。反射体には孔が形成され、この孔には伝熱性の支柱が嵌着される。支柱は反射体内部において第１表面を有し、反射体の外側において第２表面を有する。単一のサイドエミットＬＥＤ光源が第１表面に固定され、第２表面には放熱体が固定され、このサイドエミットＬＥＤに電力を供給するための回路がサイドエミットＬＥＤと関連付けされる。
本発明の１実施例では、ＬＥＤ光源は第２反射体を設けたキャップを含み、他の実施例ではＬＥＤ光源は、側壁と、少なくとも１つの金属表面を有する閉鎖頂部とを有するドーム形状の透明要素を含み、透明要素内には特定の放射パターンに合わせた光学部品が含まれ得る。
【発明を実施するための最良の形態】
【０００５】
図面を参照して詳しく説明するに、図１には光を所定方向に配向するための反射体１２を含むランプアセンブリ１０が示される。反射体の、実質的にそのベース部に孔１４が形成され、この孔１４に伝熱性の支柱１６が嵌着される。支柱１６は反射体内部において第１表面１８を有し、反射体の外側において第２表面２０を有する。支柱１６は金属製、例えば銅製であることが好ましい。単一のサイドエミットＬＥＤ光源２２が、好ましくは電気絶縁用のしかし伝熱性の部材２３を介して第１表面１８に固定される。第２表面２０には放熱体２４が固定される。第２表面２０は支柱１６と放熱体２４との間に本来良好な伝熱を保証するパーツであることが好ましい。印刷回路基板上に実装し得る回路２６が、ＬＥＤ光源に電力を供給するべくＬＥＤ光源と関連付けられる。回路２６は反射体の外側に取り付けることが好ましい、支柱１６の側部を通した、あるいは支柱１６に形成した長手方向孔を貫かせた絶縁ワイヤを介し、ＬＥＤ光源２２への図示しない好適な電気的連結部が設けられる。あるいは、導伝性のトレースを設けた電気絶縁性材料で支柱１６を被覆することもできる。
【０００６】
ＬＥＤ光源２２は、支柱１６の頂部に単独で取付け得、あるいは第２反射体３０を取り付けたキャップ２８を有し得る。キャップ２８を然るべく配置した場合、ＬＥＤ光源の作動時には光線は矢印６０で示すように反射体１２に直接放射され、あるいは矢印６２で概略示すように、第２反射体３０に向けて放射された後、反射体１２に放射され得る。
あるいは、ＬＥＤ光源を、ドーム形状の透明要素３２で覆うことができる。透明要素３２は、側壁３４と、少なくとも１つの金属表面を有する閉鎖上部３６とを有し、側壁３４には、特別の放射パターンを提供するように調整された成型レンズの形態を取り得る少なくとも１つの光学体４０を含み得る。
支柱１６は、長手方向軸線４２に沿って測定した場合に、ＬＥＤ光源２２を反射体１２の焦点位置に位置決めする所定長さを有する。
反射体１２は任意の所望の形状のものであり得るが、自動車のテールライトアセンブリで使用するためには凹形のものであることが好ましい。更に詳しくは、反射体１２はパラボラ断面を有するものであることが好ましい。
かくして、容易な組み込み性と良好な放熱性とを有する、自動車のテールライトアセンブリのために好適な単一のＬＥＤ光源が提供される。光の放射状況をカスタマイズするために追加的な光学体を設けることが可能である。
以上、本発明を実施例を参照して説明したが、本発明の内で種々の変更をなし得ることを理解されたい。
【図面の簡単な説明】
【０００７】
【図１】本発明の１実施例の概略断面図である。
【図２】本発明の他の実施例の部分概略断面図である。
【符号の説明】
【０００８】
１０  ランプアセンブリ
１２  反射体
１４  孔
１６  支柱
１８  第１表面
２０  第２表面
２２  サイドエミットＬＥＤ光源
２４  放熱体
２６  回路
３０  第２反射体
【図１】
2006032347.tif 000003
【図２】
2006032347.tif 000004